(57)【要約】      （修正有）【課題】折畳み可能であり、設置や撤去作業を楽に行うことができるフラワースタンドを提供する。【解決手段】フレーム本体と載置台ユニットとを備える。フレーム本体は、傾斜脚を有する傾斜フレームと、傾斜脚に枢接される縦脚を有する支持フレームとを具備する。載置台ユニットは、傾斜フレームに設置される載置板と、枢動板とを具備する。傾斜脚の両側に棒体が設けられる。載置板の後端は傾斜脚に枢設され、駆動板の前端は、載置板の前端の傾斜脚と対応する位置に枢設される。枢動板の後端の両側に尾片が延設され、尾片に弧状片が設けられる。弧状片が棒体に掛合することにより、載置板が水平となる。【選択図】図１
0003159671.tif 000002
【実用新案登録請求の範囲】
【請求項１】
所定の間隔をおいて設置される２本の傾斜脚を有する傾斜フレームと、上端が、対応する前記傾斜脚に枢接される２本の縦脚を有する支持フレームとを具備するフレーム本体と、
前記傾斜フレームに設置され、前端と後端を有する載置板と、前端と後端を有する２つの枢動板とを具備する少なくとも１つの載置台ユニットとを備え、
前記２本の傾斜脚に夫々、少なくとも一対の棒体が設けられ、各対における２本の棒体は夫々、傾斜脚の両側の対応する位置に設けられ、
前記載置板の後端は、２つの傾斜脚に枢設され、
前記２つの枢動板の前端は夫々、前記載置板の前端における、傾斜脚と対応する位置に枢設され、該各枢動板の後端の両側における、傾斜脚の幅より大きい距離を取った位置にそれぞれ尾片が延設されると共に、該２つの尾片に夫々、傾斜脚の対応する棒体に掛止可能な弧状片が設けられ、それらの弧状片が、対応する棒体に掛合することにより、前記載置板が水平となることを特徴とする折畳み式フラワースタンド。
【請求項２】
前記載置台ユニットの各枢動板における２つの弧状片の内、少なくとも１つの弧状片における、前記棒体に掛止した時に該棒体の上方に位置する一端からフック片が延設されることを特徴とする請求項１に記載の折畳み式フラワースタンド。
【請求項３】
前記載置板の後端から横方向へ向かってカバー板が延設されると共に、該カバー板における、前記傾斜フレームの２つの傾斜脚と対応する位置に切欠溝が形成され、
前記２つの傾斜脚は夫々、前記カバー板の対応する切欠溝に設置されると共に、該各傾斜脚の一側におけるカバー板と対応する位置に、固定部材によりカバー板に固定される枢軸が回転自在に設けられることを特徴とする請求項１または２に記載の折畳み式フラワースタンド。
【請求項４】
前記載置板の前端の底面に軸溝が形成されると共に、前記各枢動板の前端に、該軸溝に枢設される少なくとも１つの横軸が設けられることを特徴とする請求項１ないし３の何れか一項に記載の折畳み式フラワースタンド。
【請求項５】
所定の間隔をおいて設置される２本の傾斜脚を有する傾斜フレームと、上端が、対応する前記傾斜脚に枢接される２本の縦脚を有する支持フレームとを具備するフレーム本体と、
前記傾斜フレームに設置され、前端と後端を有する載置板と、支持板とを具備する少なくとも１つの載置台ユニットとを備え、
前記２つの傾斜脚に夫々、少なくとも一対の棒体が設けられ、各対における２本の棒体は夫々、傾斜脚の両側の対応する位置に設置され、
前記載置板の後端は、２つの傾斜脚に枢設され、
前記支持板は、リブ板と、該リブ板の両側に一体に形成され、夫々前端と後端を有する２つの枢動板とを含み、該２つの枢動板の前端は夫々、前記載置板の前端における傾斜脚と対応する位置に枢設され、該各枢動板の後端の両側における、傾斜脚の幅より大きい距離を取った位置にそれぞれ２つの尾片が延設されると共に、該２つの尾片に夫々、傾斜脚の対応する棒体に掛止可能な弧状片が設けられ、それらの弧状片が、対応する棒体に掛合することにより、前記載置板が水平となることを特徴とする折畳み式フラワースタンド。
【請求項６】
前記載置台ユニットの各枢動板における２つの弧状片の内、少なくとも１つの弧状片における、前記棒体に掛止した時に該棒体の上方に位置する一端からフック片が延設されることを特徴とする請求項５に記載の折畳み式フラワースタンド。
【請求項７】
前記載置板の後端から横方向へ向かってカバー板が延設されると共に、該カバー板における、前記傾斜フレームの２つの傾斜脚と対応する位置に切欠溝が形成され、
前記２つの傾斜脚は夫々、前記カバー板の対応する切欠溝に設置されると共に、該各傾斜脚の一側における、カバー板と対応する位置に、固定部材によりカバー板に固定される枢軸が回転自在に設けられることを特徴とする請求項５または６に記載の折畳み式フラワースタンド。
【請求項８】
前記載置板の前端の底面に軸溝が形成されると共に、前記各枢動板の前端に、前記軸溝に枢設される少なくとも１つの横軸が設けられることを特徴とする請求項５ないし７の何れか一項に記載の折畳み式フラワースタンド。
【考案の詳細な説明】
【技術分野】
【０００１】
本考案は、特に花鉢や盆栽鉢等を載せるためのフラワースタンドに関するものである。
【背景技術】
【０００２】
一般的なフラワースタンドは、例えば、花鉢や盆栽鉢などを載せるためのものであり、主に地面に設置するフレームと、ビスなどにより取り外し可能に該フレームに固定される載置棚とにより構成され、このような従来のフラワースタンドは、不使用時や運搬時に、収納や運搬をし易くするために載置棚をフレームから取り外して夫々の部材を保管したり、運搬していた。
【考案の概要】
【考案が解決しようとする課題】
【０００３】
しかしながら、上記従来のフラワースタンドは、片付ける際の分解作業や、設置する際の組み立て作業が非常に面倒であり、ドライバーなどの工具も必要となる。また、分解した部品が紛失した場合には、フラワースタンドが組み立て不能となってしまうといった欠点があった。
【０００４】
そこで、出願されたのが本考案であって、載置棚がフレームに対して折畳み可能であり、楽に設置や片付け作業を行うことができるフラワースタンドを提供することを目的としている。
【課題を解決するための手段】
【０００５】
本願の請求項１の考案は、所定の間隔をおいて設置される２本の傾斜脚を有する傾斜フレームと、上端が、対応する前記傾斜脚に枢接される２本の縦脚を有する支持フレームとを具備するフレーム本体と、
前記傾斜フレームに設置され、前端と後端を有する載置板と、前端と後端を有する２つの枢動板とを具備する少なくとも１つの載置台ユニットとを備え、
前記２本の傾斜脚に夫々、少なくとも一対の棒体が設けられ、各対における２本の棒体は夫々、傾斜脚の両側の対応する位置に設けられ、
前記載置板の後端は、２つの傾斜脚に枢設され、
前記２つの枢動板の前端は夫々、前記載置板の前端における、傾斜脚と対応する位置に枢設され、該各枢動板の後端の両側における、傾斜脚の幅より大きい距離を取った位置にそれぞれ尾片が延設されると共に、該２つの尾片に夫々、傾斜脚の対応する棒体に掛止可能な弧状片が設けられ、それらの弧状片が、対応する棒体に掛合することにより、前記載置板が水平となることを特徴とする折畳み式フラワースタンド、を提供する。
【０００６】
本願の請求項２の考案は、前記載置台ユニットの各枢動板における２つの弧状片の内、少なくとも１つの弧状片における、前記棒体に掛止した時に該棒体の上方に位置する一端からフック片が延設されることを特徴とする請求項１に記載の折畳み式フラワースタンド、を提供する。
【０００７】
本願の請求項３の考案は、前記載置板の後端から横方向へ向かってカバー板が延設されると共に、該カバー板における、前記傾斜フレームの２つの傾斜脚と対応する位置に切欠溝が形成され、
前記２つの傾斜脚は夫々、前記カバー板の対応する切欠溝に設置されると共に、該各傾斜脚の一側におけるカバー板と対応する位置に、固定部材によりカバー板に固定される枢軸が回転自在に設けられることを特徴とする請求項１または２に記載の折畳み式フラワースタンド、を提供する。
【０００８】
本願の請求項４の考案は、前記載置板の前端の底面に軸溝が形成されると共に、前記各枢動板の前端に、該軸溝に枢設される少なくとも１つの横軸が設けられることを特徴とする請求項１ないし３の何れか一項に記載の折畳み式フラワースタンド、を提供する。
【０００９】
本願の請求項５の考案は、所定の間隔をおいて設置される２本の傾斜脚を有する傾斜フレームと、上端が、対応する前記傾斜脚に枢接される２本の縦脚を有する支持フレームとを具備するフレーム本体と、
前記傾斜フレームに設置され、前端と後端を有する載置板と、支持板とを具備する少なくとも１つの載置台ユニットとを備え、
前記２つの傾斜脚に夫々、少なくとも一対の棒体が設けられ、各対における２本の棒体は夫々、傾斜脚の両側の対応する位置に設置され、
前記載置板の後端は、２つの傾斜脚に枢設され、
前記支持板は、リブ板と、該リブ板の両側に一体に形成され、夫々前端と後端を有する２つの枢動板とを含み、該２つの枢動板の前端は夫々、前記載置板の前端における傾斜脚と対応する位置に枢設され、該各枢動板の後端の両側における、傾斜脚の幅より大きい距離を取った位置にそれぞれ２つの尾片が延設されると共に、該２つの尾片に夫々、傾斜脚の対応する棒体に掛止可能な弧状片が設けられ、それらの弧状片が、対応する棒体に掛合することにより、前記載置板が水平となることを特徴とする折畳み式フラワースタンド、を提供する。
【００１０】
本願の請求項６の考案は、前記載置台ユニットの各枢動板における２つの弧状片の内、少なくとも１つの弧状片における、前記棒体に掛止した時に該棒体の上方に位置する一端からフック片が延設されることを特徴とする請求項５に記載の折畳み式フラワースタンド、を提供する。
【００１１】
本願の請求項７の考案は、前記載置板の後端から横方向へ向かってカバー板が延設されると共に、該カバー板における、前記傾斜フレームの２つの傾斜脚と対応する位置に切欠溝が形成され、
前記２つの傾斜脚は夫々、前記カバー板の対応する切欠溝に設置されると共に、該各傾斜脚の一側における、カバー板と対応する位置に、固定部材によりカバー板に固定される枢軸が回転自在に設けられることを特徴とする請求項５または６に記載の折畳み式フラワースタンド、を提供する。
【００１２】
本願の請求項８の考案は、前記載置板の前端の底面に軸溝が形成されると共に、前記各枢動板の前端に、前記軸溝に枢設される少なくとも１つの横軸が設けられることを特徴とする請求項５ないし７の何れか一項に記載の折畳み式フラワースタンド、を提供する。
【考案の効果】
【００１３】
本考案に係るフラワースタンドは、折畳み可能であると共に、折畳む時に部品を分解する必要もないので、折畳みや組立て作業には、手工具を使用せずに簡単に行うことができる。
【図面の簡単な説明】
【００１４】
【図１】本考案に係るフラワースタンドの第１実施例を示す斜視図である。
【図２】本考案に係るフラワースタンドの第１実施例を示す部分分解斜視図である。
【図３】本考案に係るフラワースタンドの第１実施例を示す部分分解斜視拡大図である。
【図４】本考案に係るフラワースタンドの第１実施例を示す側面視部分断面拡大図である。
【図５】本考案に係るフラワースタンドの第１実施例における展開状態を示す側面視部分断面図である。
【図６】本考案に係るフラワースタンドの第１実施例における、載置台ユニットを折畳んだ状態を示す側面視部分断面図である。
【図７】本考案に係るフラワースタンドの第２実施例の部分分解斜視図である。
【考案を実施するための形態】
【００１５】
以下、添付図面を参照して本考案の好適な実施の形態を詳細に説明する。
【００１６】
図１は本考案に係るフラワースタンドの第１実施例を示す斜視図であり、図２は本考案に係るフラワースタンドの第１実施例を示す部分分解斜視図であり、図３は本考案に係るフラワースタンドの第１実施例を示す部分分解斜視拡大図であり、図４は本考案に係るフラワースタンドの第１実施例を示す側面視部分断面拡大図であり、図５は本考案に係るフラワースタンドの第１実施例における展開状態を示す側面視部分断面図であり、図６は本考案に係るフラワースタンドの第１実施例における、載置台ユニットを折畳んだ状態を示す側面視部分断面図であり、図７は本考案に係るフラワースタンドの第２実施例の部分分解斜視図である。
【００１７】
図１及び図２に示すように、本考案に係るフラワースタンドの第１実施例は、フレーム本体（１０）と、少なくとも１つの載置台ユニット（２０）とを備える。
【００１８】
前記フレーム本体（１０）は、傾斜フレーム（１１）と支持フレーム（１２）とを有し、その内該傾斜フレーム（１１）は、所定の間隔をおいて設置される２本の傾斜脚（１１１）と、両端が前記２本の傾斜脚（１１１）に夫々固定される少なくとも１つの前支持梁（１１２）とを有し、該２本の傾斜脚（１１１）に夫々、少なくとも一対の棒体（１１３）が設けられると共に、少なくとも１つの枢軸（１１４）が回転自在に設けられ、その内、該各対における２つの棒体（１１３）は夫々、該傾斜脚（１１１）の両側の対応する位置に設置されるのに対し、該枢軸（１１４）は各傾斜脚（１１１）の一側に設けられる。また、本実施例においては、前記傾斜フレーム（１１）が２本の前支持梁（１１２）を有すると共に、該傾斜フレーム（１１）における２本の傾斜脚（１１１）に夫々、３対の棒体（１１３）と３つの枢軸（１１４）が所定の間隔をおいて設けられ、前記枢軸（１１４）は、該各傾斜脚（１１１）の外側に設けられる。
【００１９】
前記支持フレーム（１２）は、上端が、対応する前記傾斜脚（１１１）に枢接される２本の縦脚（１２１）と、両端が該２本の縦脚（１２１）に夫々固定される少なくとも１つの後支持梁（１２２）とを有し、本実施例においては、該支持フレーム（１２）に１本の後支持梁（１２２）が設けられる。
【００２０】
図３及び図４に示すように、載置台ユニット（２０）は、傾斜フレーム（１１）に設置される載置板（２１）及び２つの枢動板（２２）を有し、その内該載置板（２１）は、前端（２１１）と後端（２１２）を有し、該前端（２１１）の底面に軸溝（２１５）が形成されると共に、該後端（２１２）から横方向へ向かってカバー板（２１３）が延設され、該カバー板（２１３）における、傾斜フレーム（１１）の２本の傾斜脚（１１１）と対応する位置に切欠溝（２１４）が形成され、該各切欠溝（２１４）には、枢軸（１１４）がカバー板（２１３）に隣接するように、対応する傾斜脚（１１１）が設置されると共に、該枢軸（１１４）とカバー板（２１３）とは、固定部材（１１５）により固定される。尚、本実施例においては、前記傾斜フレーム（１１）に３つの載置台ユニット（２０）が所定の間隔をおいて設置されると共に、前記載置板（２１）の上面に複数の排水溝（２１６）が形成される。
【００２１】
前記２つの枢動板（２２）は、前端（２２１）と後端（２２２）を有し、該前端（２２１）に夫々、少なくとも１つの横軸（２２６）が設けられ、該２つの枢動板（２２）の前端（２２１）は夫々、横軸（２２６）が前記載置板（２１）の前端における軸溝（２１５）に装入されるように、該載置板（２１）の前端における傾斜脚（１１１）と対応する位置に枢設される。尚、本実施例においては、前記各枢動板（２２）の前端（２２１）に夫々２つの横軸（２２６）が所定間隔をおいて設けられる。
【００２２】
更に、前記２つの枢動板（２２）の後端（２２２）の両側における、傾斜脚（１１１）の幅より大きい距離を取った位置にそれぞれ尾片（２２３）が延設されると共に、該２つの尾片（２２３）に夫々、傾斜脚（１１１）の対応する棒体（１１３）に掛止可能な弧状片（２２４）が設けられる。尚、本実施例においては、前記傾斜フレーム（１１）に三つの載置台ユニット（２０）が設置される。
【００２３】
図５及び図６に示すように、本考案を使用する時は、先ず傾斜フレーム（１１）と支持フレーム（１２）を展開して、夫々の下端を地面に配置し、次に各載置台ユニット（２０）における各枢動板（２２）の後端（２２２）の２つの尾片（２２３）を、対応する傾斜脚（１１１）の両側に位置させると共に、該２つの尾片（２２３）における弧状片（２２４）を夫々、対応する棒体（１１３）に掛止させ、載置板（２１）を枢動板（２２）と傾斜脚（１１１）とにより水平に支持するので、該載置板（２１）に鉢などを安定した状態で載せることができる。一方、本考案を撤去する時は、先ず載置板（２１）の前端（２１１）を持ち上げて枢動板（２２）の後端（２２２）における弧状片（２２４）を棒体（１１３）から離脱させ、次に、該枢動板（２２）を載置板（２１）の下方に折畳んでから該載置板（２１）を傾斜フレーム（１１）側へ折畳み、更に支持フレーム（１２）を傾斜フレーム（１１）側へ折畳めば、フラワースタンドの体積を小さくすることができる。
【００２４】
また、図２、図５及び図６に示すように、本実施例においては、載置台ユニット（２０）の各枢動板（２２）における２つの弧状片（２２４）の内、少なくとも１つの弧状片（２２４）における、対応する棒体（１１３）に掛止した時に該棒体（１１３）の上方に位置する一端からフック片（２２５）が延設され、これにより、載置板（２１）を展開する時に、該載置板（２１）を水平状態よりやや上方へ持ち上げると、各枢動板（２２）の後端（２２２）が傾斜脚（１１１）に沿って下方へ移動し、その途中で該フック片（２２５）が棒体（１１３）に引っ掛かり、弧状片（２２４）が棒体（１１３）と対応する位置で止まるので、この時に該載置板（２１）を水平位置へ戻せば、該各弧状片（２２４）を棒体（１１３）に掛止させることができる。故に、この構成によれば、前記弧状片（２２４）の掛止作業に手間がかからないので、何人でも簡単に素早く取り付け或いは撤去作業を行うことができる。尚、本実施例においては、各枢動板（２２）における２つの弧状片（２２４）の内、傾斜脚（１１１）の内側に設置される棒体（１１３）に掛止される方にフック片（２２５）が設けられている。
【００２５】
図７に示すように、本考案の第２実施例においては、載置台ユニット（２０Ａ）は、載置板（２１）と、支持板（２０１）とを具備し、その内該支持板（２０１）は、リブ板（２３）と、該リブ板（２３）の両側に一体に形成される枢動板（２２Ａ）とを含み、該載置板（２１）と枢動板（２２Ａ）の構造やフレーム本体（１０）への取り付け方法は、第１実施例と同様だが、２つの枢動板（２２Ａ）がリブ板（２３）により連結された支持板（２０１）は、より高強度であるので、載置板（２１）に、より重いものを載せることができる。
【００２６】
本考案に係るフラワースタンドは、折畳み可能であるので、持ち運びに便利であると共に、収納空間が小さくて済み、また、本考案は、折畳む時に部材を分解する必要がないので、手工具を使用せずに折畳みや組立て作業を行うことができる。
【符号の説明】
【００２７】
１０        フレーム本体
１１        傾斜フレーム
１１１      傾斜脚
１１２      前支持梁
１１３      棒体
１１４      枢軸
１１５      固定部材
１２        支持フレーム
１２１      縦脚
１２２      後支持梁
２０、２０Ａ        載置台ユニット
２０１      支持板
２１        載置板
２１１      前端
２１２      後端
２１３      カバー板
２１４      切欠溝
２１５      軸溝
２２、２２Ａ        枢動板
２２１      前端
２２２      後端
２２３      尾片
２２４      弧状片
２２５      フック片（引掛片）
２３        リブ板
【図１】
0003159671.tif 000003
【図２】
0003159671.tif 000004
【図３】
0003159671.tif 000005
【図４】
0003159671.tif 000006
【図５】
0003159671.tif 000007
【図６】
0003159671.tif 000008
【図７】
0003159671.tif 000009